(57)【要約】【課題】情報選択肢の選択時に、触感の付与により選択操作の状態をユーザに認識させることが可能で、かつ、消費電力を低減することが可能な電子機器を提供する。【解決手段】この携帯電話機１（電子機器）は、明るい表示モードと、表示内容を視認可能で明るい表示モードよりも暗く表示する暗い表示モードとのうちいずれか１つのモードで表示可能な液晶表示部２０と、所定の入力操作が可能な回転部材３１と、回転部材３１の入力操作時に、駆動することにより回転部材３１を介してユーザに触感を付与可能な超音波モータ３３と、液晶表示部２０にアイコン２１を表示させる制御部４１とを備え、回転部材３１の入力操作に基づいて、アイコン２１を選択可能に構成されている。制御部４１は、アイコン２１の選択操作中に、暗い表示モードでアイコン２１を液晶表示部２０に表示させるように構成されている。【選択図】図５
2012022355.tif 000002
【特許請求の範囲】
【請求項１】
明るい表示モードと、表示内容を視認可能で前記明るい表示モードよりも暗く表示する暗い表示モードとのうちいずれか１つのモードで表示可能な表示部と、
ユーザにより所定の入力操作が可能な入力部材と、
ユーザによる前記入力部材の入力操作時に、駆動することにより前記入力部材を介してユーザに触感を付与可能な駆動部と、
前記表示部に情報選択肢を表示させる制御部とを備え、
ユーザによる前記入力部材の入力操作に基づいて、前記情報選択肢を選択可能に構成されているとともに、前記制御部は、ユーザによる前記情報選択肢の選択操作中に、前記暗い表示モードで前記情報選択肢を前記表示部に表示させるように構成されている、電子機器。
【請求項２】
前記制御部は、前記情報選択肢の選択後に通常操作状態に変更された場合に、前記暗い表示モードから前記明るい表示モードに変更する制御を行うように構成されている、請求項１に記載の電子機器。
【請求項３】
前記表示部に表示される前記情報選択肢は、複数の情報選択肢を含み、
前記制御部は、ユーザによる前記入力部材の入力操作に基づいて複数の前記情報選択肢のうち第１の情報選択肢が選択された場合に、前記暗い表示モードで前記情報選択肢を表示しながらユーザに対して第１の触感を付与するように前記駆動部を駆動させるとともに、複数の前記情報選択肢のうち前記第１の情報選択肢とは異なる第２の情報選択肢が選択された場合に、前記暗い表示モードで前記情報選択肢を表示しながらユーザに対して前記第１の触感とは異なる第２の触感を付与するように前記駆動部を駆動させるように構成されている、請求項２に記載の電子機器。
【請求項４】
前記入力部材は、所定の回転入力が可能な回転入力部材を含み、
前記表示部に表示される前記情報選択肢は、複数の情報選択肢を含み、
前記制御部は、ユーザによる前記回転入力部材の回転入力操作に基づいて複数の前記情報選択肢を順番に選択する際に、前記暗い表示モードで複数の前記情報選択肢を前記表示部に表示させるように構成されている、請求項１〜３のいずれか１項に記載の電子機器。
【請求項５】
情報選択肢を表示可能な表示部を備える電子機器に用いる入力装置であって、
ユーザにより所定の入力操作が可能な入力部材と、
ユーザによる前記入力部材の入力操作時に、駆動することにより前記入力部材を介してユーザに触感を付与可能な駆動部とを備え、
ユーザによる前記入力部材の入力操作に基づいて、前記情報選択肢を選択可能に構成されているとともに、ユーザによる前記情報選択肢の選択操作中に、明るい表示モードと、ユーザにより表示内容を視認可能で前記明るい表示モードよりも暗く表示する暗い表示モードとのうち、前記暗い表示モードで前記情報選択肢を表示部に表示させるように構成されている、電子機器に用いる入力装置。
【発明の詳細な説明】
【技術分野】
【０００１】
この発明は、電子機器および電子機器に用いる入力装置に関し、特に、ユーザにより所定の入力操作が可能な入力部材を備える電子機器および電子機器に用いる入力装置に関する。
【背景技術】
【０００２】
従来、ユーザにより所定の入力操作が可能な入力部材を備える電子機器に用いる入力装置が知られている（たとえば、特許文献１参照）。
【０００３】
上記特許文献１には、ユーザにより回転入力操作が可能なホイール（入力部材）と、ホイールの回転方向にトルクを伝達するホイール駆動部とを備える回転式入力装置（電子機器に用いる入力装置）が開示されている。上記特許文献１の回転式入力装置は、ユーザによりホイールが回転操作された場合に、表示部に表示されているアイコン（情報選択肢）を順番に選択可能に構成されている。また、回転式入力装置は、アイコンの選択毎に、所定のトルクを発生させることによりユーザに所定の触感を付与するように構成されている。これにより、上記特許文献１の回転式入力装置では、ユーザは触感によって選択されているアイコンを認識することができるので、アイコンの選択状態を確認するためにユーザが表示部を注視しなくてもよく、ユーザの視覚負担を軽減することが可能である。
【先行技術文献】
【特許文献】
【０００４】
【特許文献１】特開２００３−８４９０１号公報
【発明の概要】
【発明が解決しようとする課題】
【０００５】
しかしながら、上記特許文献１による回転式入力装置（電子機器に用いる入力装置）では、明記されていないが、ユーザがホイール（入力部材）を回転操作することにより、アイコン（情報選択肢）を順番に選択している場合に、触感の付与によりユーザの視覚負担を軽減可能である一方、選択操作時の表示部の輝度が明るい状態で一定に保たれていると考えられる。このため、上記特許文献１による回転式入力装置では、表示部の輝度が明るい状態で一定に保たれていると考えられる分、選択操作時の消費電力を低減するのが困難であるという問題点があると考えられる。
【０００６】
この発明は、上記のような課題を解決するためになされたものであり、この発明の１つの目的は、情報選択肢の選択時に、触感の付与により選択操作の状態をユーザに認識させることが可能で、かつ、消費電力を低減することが可能な電子機器および電子機器に用いる入力装置を提供することである。
【課題を解決するための手段および発明の効果】
【０００７】
この発明の第１の局面による電子機器は、明るい表示モードと、表示内容を視認可能で明るい表示モードよりも暗く表示する暗い表示モードとのうちいずれか１つのモードで表示可能な表示部と、ユーザにより所定の入力操作が可能な入力部材と、ユーザによる入力部材の入力操作時に、駆動することにより入力部材を介してユーザに触感を付与可能な駆動部と、表示部に情報選択肢を表示させる制御部とを備え、ユーザによる入力部材の入力操作に基づいて、情報選択肢を選択可能に構成されているとともに、制御部は、ユーザによる情報選択肢の選択操作中に、暗い表示モードで情報選択肢を表示部に表示させるように構成されている。
【０００８】
この第１の局面による電子機器では、上記のように、ユーザによる入力部材の入力操作時に、駆動することにより入力部材を介してユーザに触感を付与可能な駆動部を設けることによって、入力操作中（情報選択肢の選択中）にユーザに所定の触感を付与することにより、ユーザが表示部を注視しなくても、入力操作（選択操作）の操作状態をユーザに認識させることができる。また、入力部材の入力操作に基づく情報選択肢の選択操作中に、暗い表示モードで情報選択肢を表示部に表示させることによって、明るい表示モードの状態で表示部に情報選択肢を表示させる場合と比べて、暗い表示モードで表示部に情報選択肢を表示させることにより、表示部の輝度を小さく抑えることができる。ここで、選択操作時には、触感の付与によりユーザは表示部を注視しなくても、ある程度、選択操作の状態を認識することができるので、選択操作時に表示部の表示を視認可能な暗い表示モードにしても問題はない。これにより、選択操作時に表示部が消費する電力を低く抑えることができるので、その分、電子機器の消費電力が大きくなるのを抑制することができる。これらにより、情報選択肢の選択時に、触感の付与により選択操作の状態をユーザに認識させることができるとともに、消費電力を低減することができる。
【０００９】
上記第１の局面による電子機器において、好ましくは、制御部は、情報選択肢の選択後に通常操作状態に変更された場合に、暗い表示モードから明るい表示モードに変更する制御を行うように構成されている。このように構成すれば、情報選択肢の選択操作中の消費電力が大きくなるのを抑制する一方で、情報選択肢の選択後に通常操作状態で使用する場合に、明るい表示モードで表示部に表示内容を表示させることができるので、情報選択肢の選択後の通常操作状態ではユーザに対して表示内容を視認しやすい状態で表示することができる。
【００１０】
この場合において、好ましくは、表示部に表示される情報選択肢は、複数の情報選択肢を含み、制御部は、ユーザによる入力部材の入力操作に基づいて複数の情報選択肢のうち第１の情報選択肢が選択された場合に、暗い表示モードで情報選択肢を表示しながらユーザに対して第１の触感を付与するように駆動部を駆動させるとともに、複数の情報選択肢のうち第１の情報選択肢とは異なる第２の情報選択肢が選択された場合に、暗い表示モードで情報選択肢を表示しながらユーザに対して第１の触感とは異なる第２の触感を付与するように駆動部を駆動させるように構成されている。このように構成すれば、駆動部が駆動することにより第１の触感および第２の触感のいずれの触感であるかをユーザが認識することができるので、ユーザは第１の情報選択肢および第２の情報選択肢のいずれの情報選択肢が選択されたかを直感的に認識することができる。これにより、ユーザは、表示部をより注視しなくてもいずれの情報選択肢が選択されたのかを容易に認識することができるので、容易に、選択操作時に暗い表示モードでの表示を行うことができる。
【００１１】
上記第１の局面による電子機器において、好ましくは、入力部材は、所定の回転入力が可能な回転入力部材を含み、表示部に表示される情報選択肢は、複数の情報選択肢を含み、制御部は、ユーザによる回転入力部材の回転入力操作に基づいて複数の情報選択肢を順番に選択する際に、暗い表示モードで複数の情報選択肢を表示部に表示させるように構成されている。このように構成すれば、回転入力部材を介してユーザに触感を付与することにより、表示部を注視しなくても、容易に、暗い表示モードで複数の情報選択肢を順番に選択することができる。
【００１２】
この発明の第２の局面による電子機器に用いる入力装置は、情報選択肢を表示可能な表示部を備える電子機器に用いる入力装置であって、ユーザにより所定の入力操作が可能な入力部材と、ユーザによる入力部材の入力操作時に、駆動することにより入力部材を介してユーザに触感を付与可能な駆動部とを備え、ユーザによる入力部材の入力操作に基づいて、情報選択肢を選択可能に構成されているとともに、ユーザによる情報選択肢の選択操作中に、明るい表示モードと、ユーザにより表示内容を視認可能で明るい表示モードよりも暗く表示する暗い表示モードとのうち、暗い表示モードで情報選択肢を表示部に表示させるように構成されている。
【００１３】
この第２の局面による電子機器に用いる入力装置では、上記のように、ユーザによる入力部材の入力操作時に、駆動することにより入力部材を介してユーザに触感を付与可能な駆動部を設けることによって、入力操作中にユーザに所定の触感を付与することにより、ユーザが表示部を注視しなくても、入力操作の操作状態をユーザに認識させることができる。また、入力部材の入力操作に基づく情報選択肢の選択操作中に、暗い表示モードで情報選択肢を表示部に表示させることによって、明るい表示モードの状態で表示部に情報選択肢を表示させる場合と比べて、暗い表示モードで表示部に情報選択肢を表示させることにより、表示部の輝度を小さく抑えることができる。これにより、表示部が消費する電力を低く抑えることができるので、その分、本発明の入力装置が含まれる電子機器の消費電力が大きくなるのを抑制することができる。
【図面の簡単な説明】
【００１４】
【図１】本発明の一実施形態による携帯電話機の構成を説明するための平面図である。
【図２】本発明の一実施形態による携帯電話機の液晶表示部に表示されたアイコンの選択順番および選択状態を説明するための平面図である。
【図３】本発明の一実施形態による携帯電話機の構成を説明するためのブロック図である。
【図４】本発明の一実施形態による携帯電話機の回転入力装置の構成を説明するための斜視図である。
【図５】本発明の一実施形態による携帯電話機の制御部による液晶表示部のバックライトの制御フローを説明するためのフローチャートである。
【発明を実施するための形態】
【００１５】
以下、本発明を具体化した実施形態を図面に基づいて説明する。
【００１６】
まず、図１〜図４を参照して、本発明の一実施形態による回転入力装置３０を備える携帯電話機１の構成について説明する。なお、携帯電話機１は、本発明の「電子機器」の一例であり、回転入力装置３０は、本発明の「電子機器に用いる入力装置」の一例である。
【００１７】
図１に示すように、携帯電話機１は、電子機器本体１０と、カラー表示可能な液晶表示部２０と、回転入力装置３０と、ボタン入力部４０とにより主に構成されている。なお、液晶表示部２０は、本発明の「表示部」の一例である。
【００１８】
液晶表示部２０は、たとえば、携帯電話機１の様々なアプリケーションおよびファイルなどを表わした複数のアイコン２１などを表示することが可能なように構成されている。また、回転入力装置３０は、図２に示すように、ユーザにより後述する回転部材３１の回転操作入力が行われた場合に、複数のアイコン２１を順番（図２の矢印の順番）に選択することが可能なように構成されている。また、回転入力装置３０は、後述する回転部材３１の押下操作入力が行われた場合に、選択されているアイコン２１（たとえば、図２のアイコン２１ａ参照）を決定することが可能なように構成されている。なお、アイコン２１は、本発明の「情報選択肢」の一例である。
【００１９】
ここで、本実施形態では、図３に示すように、液晶表示部２０には、液晶表示部２０に表示される表示の明るさを調整するバックライト２２が設けられている。このバックライト２２は、２段階の明るさのうちいずれかの明るさで液晶表示部２０に表示内容を表示させることが可能なように構成されている。具体的には、液晶表示部２０は、後述する制御部４１により制御される明るい表示モードおよび暗い表示モードのうちいずれかのモードで表示内容を表示可能に構成されている。なお、暗い表示モードは、液晶表示部２０に明るい表示モードよりも暗い表示を行うモードである。暗い表示モードで表示が行われる場合、明るい表示モードよりもバックライト２２の輝度の大きさが減らされるため、液晶表示部２０の消費電力を低く抑えることが可能である。
【００２０】
また、本実施形態では、回転入力装置３０は、図２および図４に示すように、ユーザによる入力操作が可能な回転部材３１と、回転部材３１の回転量を検出する回転量検出センサ３２（図３参照）と、駆動することにより回転部材３１を回転させることが可能な超音波モータ３３と、超音波モータ３３の下側に設けられた支持台３４と、回転部材３１が押下された際の押下力を検知する感圧センサ３５（図３参照）とを含んでいる。なお、回転部材３１は、本発明の「入力部材」および「回転入力部材」の一例であり、超音波モータ３３は、本発明の「駆動部」の一例である。
【００２１】
また、回転入力装置３０は、上述のように、ユーザによる回転操作入力および押下操作入力が可能なように構成されており、上述したアイコン２１（図２参照）の選択および決定操作のみならず、アイコン２１の選択および決定後のアプリケーションソフトの操作を行う際にも操作可能である。また、回転入力装置３０は、後述する回転部材３１が回転されることにより、回転入力装置３０に触れているユーザの指に対して回転部材３１が動くことによる触感を付与することが可能となるように構成されている。
【００２２】
具体的には、回転部材３１は、円板形状を有しており、回転中心軸線L（図４参照）を中心に回転可能に構成されている。また、回転量検出センサ３２（図３参照）は、静電式エンコーダから成り、回転部材３１の回転角度を検知することにより回転部材３１の回転量を検出するように構成されている。
【００２３】
また、超音波モータ３３は、図４に示すように、圧電素子からなるステータ３３ａと、ステータ３３ａに対応するロータ３３ｂとにより構成されている。この超音波モータ３３は、回転部材３１を回転させる機能を有する。圧電素子からなるステータ３３ａは、超音波領域（２０ｋＨｚ）以上の周波数で振動することにより進行波を生成するように構成されている。また、ロータ３３ｂは、ステータ３３ａにより生成される進行波により円周方向（Ｘ１方向およびＸ２方向）に回転されるように構成されている。回転部材３１は、ロータ３３ｂが回転することにより、ロータ３３ｂと共に回転するように構成されている。このように、超音波モータ３３は、ユーザによる回転部材３１の入力操作時に、回転部材３１が超音波モータ３３により回転されることにより、回転部材３１を介して回転部材３１に触れているユーザの指に様々な触感を付与する機能を有する。
【００２４】
また、支持台３４の下側には、４つの感圧センサ３５（図３参照）が配置されている。これら４つの感圧センサ３５（図３参照）は、ユーザが回転部材３１を回転中心軸線Ｌの軸方向（下方）に押下した際の圧力を検知するために設けられている。
【００２５】
また、図３に示すように、携帯電話機１には、制御部４１と、記憶部４２と図示しない携帯電話基地局などと通信するための通信部４３とが設けられている。制御部４１は、記憶部４２に格納されている携帯電話機１のアプリケーションプログラムに基づいて、携帯電話機１の制御を行う機能を有する。
【００２６】
具体的には、本実施形態では、制御部４１は、携帯電話機１の操作などを行うための表示内容（アイコン２１（図２参照）など）を液晶表示部２０に表示させる制御を行う機能を有する。また、制御部４１は、上述した明るい表示モードおよび暗い表示モードのいずれかのモードに対応するように、バックライト２２の輝度の大きさの調整を行う機能を有する。また、制御部４１は、回転入力装置３０の入力操作に基づいて、ユーザによる複数のアイコン２１（図２参照）の選択操作中に、暗い表示モードで表示内容（アイコン２１）を液晶表示部２０に表示させる制御を行うように構成されている。なお、予めユーザにより省電力モードに設定されている場合に、制御部４１は、この複数のアイコン２１（図２参照）の選択操作中に暗い表示モードで表示内容を液晶表示部２０に表示させるように構成されている。
【００２７】
また、本実施形態では、図２に示すように、制御部４１（図３参照）は、ユーザによる回転部材３１の回転入力操作に基づいて複数のアイコン２１が順番に選択される毎に、超音波モータ３３（図４参照）を駆動させるように構成されている。つまり、制御部４１（図３参照）は、アイコン２１の選択が切り替えられる度にユーザに触感を付与するために、超音波モータ３３（図４参照）を駆動するように構成されている。また、記憶部４２（図３参照）には、決定される頻度の高いアイコン２１（たとえば、アイコン２１ａ）が記憶されており、制御部４１（図３参照）は、決定される頻度の高いアイコン２１（たとえば、アイコン２１ａ）が選択された場合に、通常の駆動とは異なる特別な駆動を超音波モータ３３（図４参照）に行わせる制御を行うように構成されている。ここで、通常の駆動とは、超音波モータ３３のロータ３３ｂが回転部材３１の回転方向（Ｘ１方向およびＸ２方向のいずれか一方）に抗する方向（Ｘ１方向およびＸ２方向のいずれか他方）に回転する回転駆動である。また、特別な駆動とは、超音波モータ３３のロータ３３ｂが両回転方向（Ｘ１方向およびＸ２方向）に交互に、かつ、小刻みに繰り返し回転する回転駆動である。なお、アイコン２１ａは、本発明の「第２の情報選択肢」の一例であり、アイコン２１ａ以外のアイコン２１は、本発明の「第１の情報選択肢」の一例である。
【００２８】
また、本実施形態では、制御部４１（図３参照）は、上述のように、アイコン２１の選択操作が行われている場合には、暗い表示モードで表示内容（アイコン２１）を液晶表示部２０に表示させるように構成されている一方で、アイコン２１の選択後に通常操作状態に変更された場合には、暗い表示モードから明るい表示モードに変更する制御を行うように構成されている。具体的には、制御部４１は、選択されたアイコン２１（たとえば、アイコン２１ａ）を決定するためにユーザにより回転部材３１に押下操作が行われた場合に、アイコン２１の選択操作中の状態から通常操作状態に変更し、暗い表示モードから明るい表示モードに切り替える制御を行うように構成されている。なお、通常操作状態とは、たとえば、アイコン２１が選択および決定された後のアプリケーションプログラム（カメラアプリケーションプログラムおよびメールアプリケーションプログラムなど）が実行されている状態である。
【００２９】
また、制御部４１は、一定期間回転部材３１の操作が行われない場合には、上記２つの表示モード（明るい表示モードおよび暗い表示モード）の他に、液晶表示部２０のバックライト２２を消灯する制御を行うように構成されている。
【００３０】
次に、図２、図３および図５を参照して、本実施形態による携帯電話機１の制御部４１によって処理される液晶表示部２０のバックライト２２の制御フローについて説明する。なお、この制御フローは、ユーザにより回転部材３１が回転された場合に実行される。
【００３１】
まず、図５に示すように、ステップＳ１において、制御部４１（図３参照）により、省電力モードに予め設定されているか否かが判断される。そして、ステップＳ１において、省電力モードに予め設定されていないと判断された場合には、液晶表示部２０のバックライト２２の制御フローが終了する。また、ステップＳ１において、省電力モードに予め設定されていると判断された場合には、ステップＳ２に進む。
【００３２】
その後、ステップＳ２において、制御部４１により、アイコン選択操作中であるか否かが判断される。そして、ステップＳ２において、アイコン選択操作中ではないと判断された場合には、液晶表示部２０のバックライト２２の制御フローが終了する。また、ステップＳ２において、アイコン選択操作中であると判断された場合には、ステップＳ３に進む。
【００３３】
そして、ステップＳ３において、制御部４１により、明るい表示モードであるか否かが判断される。すなわち、バックライト２２の輝度が大きいか否かが判断される。そして、ステップＳ３において、明るい表示モードではないと判断された場合には、ステップＳ４に進む。そして、ステップＳ４において、暗い表示モードに切り替えられることにより、バックライト２２の輝度が小さくなるように制御され、ステップＳ５に進む。また、ステップＳ３において、明るい表示モードであると判断された場合には、ステップＳ５に進む。
【００３４】
その後、ステップＳ５において、制御部４１により、次の順番のアイコン２１が選択されたか否かが判断される。そして、ステップＳ５において、次の順番のアイコン２１が選択されたと判断された場合には、ステップＳ６に進む。なお、ステップＳ５において、次の順番のアイコン２１が選択されたと判断されるまで、ステップＳ５の判断が繰り返される。
【００３５】
そして、ステップＳ６において、制御部４１により、選択されたアイコン２１が、決定される頻度の高い所定のアイコン２１（たとえばアイコン２１ａ（図２参照））であるか否かが判断される。そして、ステップＳ６において、選択されたアイコン２１が、決定される頻度の高い所定のアイコン２１（たとえばアイコン２１ａ）であると判断された場合には、ステップＳ７に進む。そして、ステップＳ７において、制御部４１により、ユーザに対して特別な触感を付与するように超音波モータ３３が駆動される。なお、超音波モータ３３のロータ３３ｂは、ユーザに対して特別な触感を付与するために、特別な駆動（回転方向の左右方向（Ｘ１方向およびＸ２方向）に交互に、かつ、小刻みに繰り返し回転される駆動）が行われる。これにより、ユーザに対して回転部材３１が震えるような触感が付与される。なお、震えるような触感は、本発明の「第２の触感」の一例である。
【００３６】
また、ステップＳ６において、選択されたアイコン２１が、決定される頻度の高い所定のアイコン２１（たとえばアイコン２１ａ（図２参照））ではないと判断された場合には、ステップＳ８に進む。そして、ステップＳ８において、制御部４１により、ユーザに対して通常の触感を付与するように超音波モータ３３が駆動される。なお、超音波モータ３３のロータ３３ｂは、ユーザに対して通常の触感を付与するために、通常の駆動（回転部材３１の回転方向に抗する方向に回転される駆動）が行われる。これにより、ユーザに対して回転部材３１にブレーキが掛かるような触感が付与される。なお、ブレーキが掛かるような触感は、本発明の「第１の触感」の一例である。
【００３７】
その後、ステップＳ９において、制御部４１により、感圧センサ３５が回転部材３１の押下力を検出することにより選択されたアイコン２１が決定されたか否かが判断される。そして、ステップＳ９において、選択されたアイコン２１が決定されていないと判断された場合には、ステップＳ５に戻る。また、ステップＳ９において、選択されたアイコン２１が決定されたと判断された場合には、ステップＳ１０に進む。
【００３８】
そして、ステップＳ１０において、アイコン２１が決定されたことに基づいて通常操作状態に移行したと判断されることにより、暗い表示モードから明るい表示モードに切り替えられ、液晶表示部２０のバックライト２２の制御フローが終了する。
【００３９】
本実施形態では、上記のように、ユーザによる回転部材３１の入力操作時に、駆動することにより回転部材３１を介してユーザに触感を付与可能な超音波モータ３３を設けることによって、回転入力操作中にユーザに所定の触感を付与することにより、ユーザが液晶表示部２０を注視しなくても、回転入力操作の操作状態をユーザに認識させることができる。また、回転部材３１の回転入力操作に基づくアイコン２１（情報選択肢）の回転選択操作中に、暗い表示モードでアイコン２１を液晶表示部２０に表示させることによって、明るい表示モードの状態で液晶表示部２０にアイコン２１を表示させる場合と比べて、暗い表示モードで液晶表示部２０にアイコン２１を表示させることにより、液晶表示部２０の輝度を小さく抑えることができる。ここで、回転選択操作時には、触感の付与によりユーザは液晶表示部２０を注視しなくても、ある程度、選択操作の状態を認識することができるので、回転選択操作時に液晶表示部２０の表示を視認可能な暗い表示モードにしても問題はない。これにより、回転選択操作時に液晶表示部２０が消費する電力を低く抑えることができるので、その分、携帯電話機１の消費電力が大きくなるのを抑制することができる。これらにより、アイコン２１の選択時に、触感の付与により回転選択操作の状態をユーザに認識させることができるとともに、消費電力を低減することができる。
【００４０】
また、本実施形態では、上記のように、アイコン２１の選択後に通常操作状態に変更された場合に、暗い表示モードから明るい表示モードに変更する制御を行うことによって、アイコン２１の選択操作中の消費電力が大きくなるのを抑制する一方で、アイコン２１の選択後に通常操作状態で使用する場合に、明るい表示モードで液晶表示部２０に表示内容を表示させることができるので、アイコン２１の選択後の通常操作状態ではユーザに対して表示内容を視認しやすい状態で表示することができる。
【００４１】
また、本実施形態では、上記のように、ユーザによる回転部材３１の回転入力操作に基づいて複数のアイコン２１のうち使用頻度の高いアイコン２１ａ以外のアイコン２１が選択された場合に、暗い表示モードでアイコン２１を表示しながらユーザに対して通常の触感を付与するように超音波モータ３３を駆動させるとともに、複数のアイコン２１のうち使用頻度の高いアイコン２１ａが選択された場合に、暗い表示モードでアイコン２１を表示しながらユーザに対して特別な触感を付与するように超音波モータ３３を駆動させることによって、超音波モータ３３が駆動することにより普通の触感および特別な触感のいずれの触感であるかをユーザが認識することができるので、ユーザは選択されたアイコン２１が使用頻度の高いアイコン２１ａであるか否かを直感的に認識することができる。これにより、ユーザは、液晶表示部２０をより注視しなくてもいずれのアイコン２１が選択されたのかを容易に認識することができる。
【００４２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４３】
たとえば、上記実施形態では、本発明の電子機器の一例としての携帯電話機に本発明を適用した例について示したが、本発明はこれに限られない。電子機器であれば、たとえば、携帯型音楽プレーヤー、リモートコントローラおよびカーナビゲーション装置などの携帯電話機以外の他の電子機器に適用してもよい。
【００４４】
また、上記実施形態では、表示モードを明るい表示モードと暗い表示モードとの２つの表示モードで液晶表示部に表示内容を表示させる例について示したが、本発明はこれに限られない。たとえば、明るい表示モードと暗い表示モードの間に、暗い表示モードよりも明るく表示可能で、かつ、明るい表示モードよりも暗く表示可能な「少し明るい表示モード」をさらに設けるなど、３つ以上の表示モードで液晶表示部に表示内容を表示させるようにしてもよい。
【００４５】
また、上記実施形態では、本発明の入力部材の一例として回転入力可能な回転部材３１を用いた例について示したが、本発明はこれに限られない。情報選択肢を選択可能な入力部材であれば、十字ボタンなどの回転部材３１以外の入力部材を用いてもよい。
【００４６】
また、上記実施形態では、本発明の情報選択肢の一例としてアイコン２１を液晶表示部２０に表示させた例について示したが、本発明はこれに限られない。表示部に表示される情報選択肢であれば、たとえば、箇条書きで表わされた文字列などのアイコン以外の情報選択肢を用いてもよい。
【００４７】
また、上記実施形態では、本発明の駆動部の一例として超音波モータ３３を用いた例について示したが、本発明はこれに限られない。回転部材３１を駆動可能であれば、電磁モータなどの超音波モータ以外のモータでもよい。
【００４８】
また、上記実施形態では、回転部材３１を回転させることによりユーザに触感を付与する例について示したが、本発明はこれに限られない。たとえば、入力部材を上下方向に振動させることによりユーザに触感を付与するようにしてもよい。
【符号の説明】
【００４９】
１  携帯電話機（電子機器）
２０  液晶表示部（表示部）
２１  アイコン（情報選択肢、第１の情報選択肢、第２の情報選択肢）
２１ａ  アイコン（情報選択肢、第２の情報選択肢）
３０  回転入力装置（電子機器に用いる入力装置）
３１  回転部材（入力部材、回転入力部材）
３３  超音波モータ（駆動部）
４１  制御部
【図１】
2012022355.tif 000003
【図２】
2012022355.tif 000004
【図３】
2012022355.tif 000005
【図４】
2012022355.tif 000006
【図５】
2012022355.tif 000007